(57)【要約】      （修正有）【課題】鞄に固定可能なシート体係止具であって、考案の実装の形態によって、シート体を物品運搬の補助具として使用するために鞄以外の物に固定可能なシート体係止具を提供する。【解決手段】シート体係止具１は、面状部２、帯状物４（４ａ及び４ｂ）を備えており、帯状物４には面ファスナ５（５ａ及び５ｂ）が設けられている。帯状物４ａ及び４ｂと面ファスナ５ａ及び５ｂが全体として固定具となる。面状部２には、シート体貫入具が備えられている。シート体貫入具は、（Ａ）に示すようにリング３ａであってもよく、（Ｂ）に示すようにスリット６によって構成された帯状体３ｂであってもよい。リング３ａは硬性であればいかなる材質のものでもよい。【選択図】図１
0003191893.tif 000002
【実用新案登録請求の範囲】
【請求項１】
シート体の端部を挿入して係止するシート体係止具であって、
平行に設けられた２以上のシート体貫入具と、
前記シート体係止具を他物体に固定するための固定具を備えることを特徴とする、シート体係止具。
【請求項２】
前記シート体貫入具のうち少なくとも１つは、形状維持性を有するリングであることを特徴とする、請求項１に記載のシート体係止具。
【請求項３】
前記リングは、硬性であることを特徴とする、請求項２に記載のシート体係止具。
【請求項４】
面状部を有し、
前記シート体貫入具のうち少なくとも１つは、前記面状部に設けられた帯状体であることを特徴とする、請求項１に記載のシート体係止具。
【請求項５】
前記帯状体は、前記面状部に平行に設けられた２のスリットに挟まれた前記面状部の一部であることを特徴とする、請求項４に記載のシート体係止具。
【請求項６】
平行に設けられた３のスリットにより、２の前記帯状体が構成されることを特徴とする、請求項５に記載のシート体係止具。
【請求項７】
前記２以上のシート体貫入具は、同一のシート体貫入方向にシートを貫入させるものであることを特徴とする、請求項１〜６のいずれか１項に記載のシート体係止具。
【請求項８】
前記固定具は、棒状又は帯状の被固定物を周回して前記シート体係止具を固定するものであり、前記シート体貫入方向が前記被固定物の軸方向と一致することを特徴とする、請求項７に記載のシート体係止具。
【請求項９】
前記固定具は、棒状又は帯状の被固定物を周回して前記シート体係止具を固定するものであり、前記シート体貫入方向が前記被固定物の軸方向と略直交することを特徴とする、請求項７に記載のシート体係止具。
【請求項１０】
前記固定具は、両端が相互に着脱可能な帯状物であることを特徴とする、請求項８又は９に記載のシート体係止具。
【請求項１１】
前記着脱が面ファスナによって行われることを特徴とする、請求項１０に記載のシート体係止具。
【考案の詳細な説明】
【技術分野】
【０００１】
本考案は、鞄、ベルト等の被固定物に風呂敷、スカーフ等のシート体を固定して係止するシート体係止具に関する。
【背景技術】
【０００２】
鞄は、ファッションの一要素であり、衣服と合わせてコーディネートする等、外観をＴＰＯに合わせて選択することが望まれる。出願人は、特許文献１において、持ち手部分に風呂敷等のシート体を係止し、鞄を被覆して、ファッショナブルな外観を形成することのできる鞄を開示した。
【０００３】
特許文献１に開示された鞄の効用が認知されると、シート体を係止する機構を持たない鞄についても、同様にシート体によって被覆したいという願望が増えると予想される。しかし、その願望に応えるための器具は開示されていなかった。
【０００４】
風呂敷等のシート体の用途を検討するに、鞄を被覆せずともシート体自身が物品運搬の補助具として機能する。このためには、シート体の四隅を結ぶことが通常である。
【０００５】
一方、シート体は、その四隅を結ばずとも、例えば四隅をベルト等に係止してウエストポーチのように使用する等、物品運搬の補助具となり得る。しかし、かかる使用方法を実現する器具は知られていなかった。
【先行技術文献】
【特許文献】
【０００６】
【特許文献１】実用新案登録第３１８０４４５号公報
【考案の概要】
【考案が解決しようとする課題】
【０００７】
本考案は、鞄に固定可能なシート体係止具を提供することを課題とする。合わせて、考案の実装の形態によって、シート体を物品運搬の補助具として使用するために鞄以外の物に固定可能なシート体係止具を提供することを課題とする。
【課題を解決するための手段】
【０００８】
本考案のシート体係止具は、
シート体の端部を挿入して係止するシート体係止具であって、
平行に設けられた２以上のシート体貫入具と、
前記シート体係止具を他物体に固定するための固定具を備えることを特徴とする。
【０００９】
ここで「シート体」とは、自身の受ける重力又はそれよりも小さな力で湾曲し、折曲するシート状の物体を言う。風呂敷、スカーフ等の布製のもののほか、紙製、ビニール製のものも「シート体」となり得る。
「シート体貫入具」はシート体を折り曲げて貫入させることのできる部材である。リングや紐が「シート体貫入具」となる。また、面を有する物の表面に２以上の切れ目を設けた場合に、その切れ目の間の部分が「シート体貫入具」となる。
シート体を折り曲げて、並設された２のシート体貫入具の両方の内側に貫入させ、一方のシート体貫入具の外側を通過させ、他方のシート体貫入具の両方の内側に貫入させる。これにより、シート体が固定される。
シート体貫入具によって、特許文献１に開示された鞄と同様にシート体を把持して使用することができる。固定具によって、シート体係止具が鞄（またはその他の物）に係止される。
【００１０】
本考案のシート体係止具は、
前記シート体貫入具のうち少なくとも１つは、形状維持性を有するリングであることを特徴とする。
【００１１】
リングによってシート体貫入具を構成する。この際、リングが、自身の受ける重力によって変形しない程度の剛性（形状維持性）を有することが好ましい。形状維持性を有しないもの、例えば輪ゴムや紐糸は、外観が必ずしも好ましくないからである。
【００１２】
本考案のシート体係止具は、
前記リングは、硬性であることを特徴とする。
【００１３】
金属製、プラスチック製、その他の硬性のリングを用いる。
【００１４】
本考案のシート体係止具は、
面状部を有し、
前記シート体貫入具のうち少なくとも１つは、前記面状部に設けられた帯状体であることを特徴とする。
【００１５】
帯状体をシート体貫入具として活用する。
【００１６】
本考案のシート体係止具は、
前記帯状体は、前記面状部に平行に設けられた２のスリットに挟まれた前記面状部の一部であることを特徴とする。
【００１７】
２のスリットを構成し、これらに挟まれた部分を帯状体とすることができる。
【００１８】
本考案のシート体係止具は、
平行に設けられた３のスリットにより、２の前記帯状体が構成されることを特徴とする。
【００１９】
係止具は、２のシート体貫入具を用いる。３のスリットにより２の帯状体（シート体貫入具）を構成し、簡素な構造で係止具を実現する。
【００２０】
本考案のシート体係止具は、
前記２以上のシート体貫入具は、同一のシート体貫入方向にシートを貫入させるものであることを特徴とする。
【００２１】
同一の方向にシートを貫入させることで、シート体を確実に把持する。
【００２２】
本考案のシート体係止具は、
前記固定具は、棒状又は帯状の被固定物を周回して前記シート体係止具を固定するものであり、前記シート体貫入方向が前記被固定物の軸方向と一致することを特徴とする。
【００２３】
例えば鞄の持ち手にシート体係止具を固定し、鞄を被覆するシート体を係止することができる。
【００２４】
本考案のシート体係止具は、
前記固定具は、棒状又は帯状の被固定物を周回して前記シート体係止具を固定するものであり、前記シート体貫入方向が前記被固定物の軸方向と略直交することを特徴とする。
【００２５】
例えばベルトにシート体係止具を固定し、その下方にシート体を係止してウエストポーチのように使用することができる。
【００２６】
本考案のシート体係止具は、
前記固定具は、両端が相互に着脱可能な帯状物であることを特徴とする。
【００２７】
面ファスナやボタン等によって着脱可能な帯状物を用いる。固定することも、固定を解除することも容易になる。
【００２８】
本考案のシート体係止具は、
前記着脱が面ファスナによって行われることを特徴とする。
【００２９】
面ファスナは、被固定物に合わせて帯の長さを調整することが容易である。
【考案の効果】
【００３０】
本考案のシート体係止具によれば、鞄に固定可能なシート体係止具を提供することができる。合わせて、考案の実装の形態によって、シート体を物品運搬の補助具として使用するために鞄以外の物に固定可能なシート体係止具を提供することもできる。
【図面の簡単な説明】
【００３１】
【図１】図１は、シート体係止具を示す図である。
【図２】図２は、シート体係止具の使用状態を示す図である。
【図３】図３は、シート体係止具を鞄に固定する例を示す図である。
【図４】図４は、シート体係止具をベルトに固定する例を示す図である。
【図５】図５は、シート体の係止手順を示す図である。
【図６】図６は、使用例を示す図である。
【考案を実施するための形態】
【００３２】
以下、本考案の実施例について図１〜６を用いて説明する。
【００３３】
図１は、シート体係止具を示す図である。シート体係止具１は、面状部２、帯状物４（４ａ及び４ｂ）を備えており、帯状物４には面ファスナ５（５ａ及び５ｂ）が設けられている。帯状物４ａ及び４ｂと面ファスナ５ａ及び５ｂが全体として固定具となる。
【００３４】
面状部２には、シート体貫入具３が備えられている。シート体貫入具３は、（Ａ）に示すようにリング３ａであってもよく、（Ｂ）に示すようにスリット６によって構成された帯状体３ｂであってもよい。リング３ａは硬性であればいかなる材質のものでもよい。本実施例では金属製とする。
【００３５】
シート体係止具１の材質は任意であるが、皮製やゴム製とすると固定時の変形が容易である。なお、外観の点で皮製が好ましい。（Ｂ）の場合、皮製やゴム製であれば、スリット６は、面状部２に設けられた切込みでよく、帯状体３ｂが形成される。
【００３６】
図２は、シート体係止具の使用状態を示す図である。被固定物７は、鞄の持ち手やベルトが想定されるが、図では円筒形に示す。厳密に円筒形でなくても支障はない。また、図は、図１（Ａ）に示したようにシート体貫入具３がリング３ａであるが、図１（Ｂ）に示したようにシート体貫入具３が帯状体３ｂであっても同様である。
【００３７】
シート体係止具１は、被固定物７に巻きつけられ、面ファスナ５ａと５ｂとが接合されて、シート体係止具１と被固定物７との摩擦によって固定される。リング３ａが、被固定物７の外周に配される。
【００３８】
図３は、シート体係止具を鞄に固定する例を示す図である。鞄８は２との持ち手を備えている。２つの持ち手の両端の計４箇所にシート体係止具１を固定する。これによる、鞄８に８つ（４箇所に２つずつ）のリング３が備えられていた場合と同様になる。なお、リング３は、図に示すように、持ち手に沿ってシート体を貫入する（シート体貫入方向が被固定物である持ち手の軸方向である）ようになる。特許文献１に示したように、風呂敷等のシート体を係止し、鞄を被覆して、ファッショナブルな外観を形成することができる。形成される外観の例を図６に示す。
【００３９】
図４は、シート体係止具をベルトに固定する例を示す図である。固定方法は、図３に示した鞄に固定する場合と同様である。リング３の向きが異なり、シート体貫入方向がベルトの軸方向（長手方向）に直行する方向となる。図のように２つのシート体係止具１をベルトに固定し、各々のシート体係止具１に風呂敷の四隅のうちの２つを係止すると、風呂敷をウエストポーチのように使用することができる。
【００４０】
図５は、シート体の係止手順を示す図である。以下、リング３ａにシート体１０を係止するものとして説明するが、帯状体３ｂにシート体１０を係止する場合についても同様である。
【００４１】
（Ａ）に示すように、面状部２に２つのリング３ｘ及び３ｙが付されている。
【００４２】
（Ｂ）に示すように、２つのリング３ｘ及び３ｙにシート体１０を貫入する。その後、（Ｃ）に示すようにリング３ｙの外側にシート体１０を回し、（Ｄ）に示すようにリング３ｘにシート体１０を貫入する。以上の手順によってシート体１０が係止される。
【００４３】
図６は、使用例を示す図である。いずれもシート体係止具１を鞄に固定し（図３参照）、シート体として風呂敷を用いたものである。（Ａ）は、シンプルに風呂敷を鞄に係止したものである。（Ｂ）は、風呂敷の四隅を花状に結んだものである。（Ｃ）は、風呂敷の端で、持ち手までを風呂敷で覆ったものである。
かかる使用形態のデザインのバリエーションと、風呂敷のデザインのバリエーションとによって、多彩なデザインを活用して楽しむことができる。
【産業上の利用可能性】
【００４４】
鞄に固定可能なシート体係止具であり、風呂敷等のシート体を用いて鞄を被覆して、ファッショナブルな外観を形成することができる。合わせて、シート体を物品運搬の補助具として使用するためにベルト等に固定することができる。多くの個人、特に女性による利用が考えられる。
【符号の説明】
【００４５】
１…シート体係止具
２…面状部
３…シート体貫入具（３ａ：リング、３ｂ：帯状体）
４…帯状物
５…面ファスナ
６…スリット
７…被固定物
８…鞄
９…ベルト
１０…シート体
【図１】
0003191893.tif 000003
【図２】
0003191893.tif 000004
【図３】
0003191893.tif 000005
【図４】
0003191893.tif 000006
【図５】
0003191893.tif 000007
【図６】
0003191893.tif 000008